(57)【特許請求の範囲】
【請求項１】
ユーザに把持されるとともに洗浄液を高圧噴射して被洗浄車両を洗浄するスプレーガンと、
前記スプレーガンに洗浄液を供給するホースと、
地面に立設されるとともに前記スプレーガンを保持するガンホルダを有するスタンド部と、
を備え、前記ガンホルダが巻回されたホースを掛止する掛止部を有し、
前記ガンホルダは前後に延びて上下に対向配置される上面部及び下面部を有して開放された側方から前記スプレーガンを出し入れされ、
前記掛止部が前記下面部を前記上面部よりも側方に延設して形成されることを特徴とする洗車機。
【請求項２】
前記下面部の開放端から上方に突出する第１突出部を有することを特徴とする請求項１に記載の洗車機。
【請求項３】
前記上面部の開放端から下方に突出する第２突出部を有することを特徴とする請求項１又は２に記載の洗車機。
【請求項４】
前記上面部及び前記下面部は前後方向に傾斜することを特徴とする請求項１〜３のいずれかに記載の洗車機。
【請求項５】
前記下面部の前端部及び後端部が下方に屈曲することを特徴とする請求項１〜４のいずれかに記載の洗車機。
【請求項６】
前記上面部の前端部及び後端部が上方に屈曲することを特徴とする請求項１〜５のいずれかに記載の洗車機。
【請求項７】
ユーザに把持されるとともに洗浄液を高圧噴射して被洗浄車両を洗浄するスプレーガンと、
前記スプレーガンに洗浄液を供給するホースと、
地面に立設されるとともに前記スプレーガンを保持するガンホルダを有するスタンド部と、
対向する２つの前記スタンド部の上端を連結する天井部を有して前記被洗浄車両を跨ぎ前記被洗浄車両に対して前後に相対移動する本体部と、を備え、
前記スタンド部の外側の面に前記ガンホルダを着脱自在に取り付けたことを特徴とする洗車機。
【発明の詳細な説明】
【技術分野】
【０００１】
本発明は、給油所等に設置して被洗浄車両の洗車を行う洗車機に関する。
【背景技術】
【０００２】
給油所等に設置される従来の洗車機は特許文献１に開示される。この洗車機は地面に立設されるスタンド部（洗車端末）を備えている。スタンド部には洗浄液を高圧噴射して被洗浄車両を洗浄するスプレーガンと、スプレーガンに接続して洗浄液を供給するホースと、が設けられる。
【０００３】
ユーザはスプレーガンを把持し、被洗浄車両に洗浄液を高圧噴射して被洗浄車両を洗浄する。スプレーガンを使用しないときには、スプレーガンはスタンド部の側部に設けられた筒状のガンホルダに保持される。また、ホースはスタンド部の下部に設けられたＬ字状の掛止部によって掛止される。
【先行技術文献】
【特許文献】
【０００４】
【特許文献１】特開２０００−７１９４８号公報
【特許文献２】実開昭６３−１８３３８８号公報
【発明の概要】
【発明が解決しようとする課題】
【０００５】
しかしながら、特許文献１に開示される洗車機はガンホルダ及び掛止部はスタンド部の離れた場所にそれぞれ設けられる。このため、洗車機を構成する部品点数が多くなるとともに、ガンホルダ及び掛止部の設置スペースが必要になるという問題がある。
【０００６】
本発明は、部品点数を削減して省スペース化を図ることができる洗車機を提供することを目的とする。
【課題を解決するための手段】
【０００７】
上記目的を達成するために本発明は、ユーザに把持されるとともに洗浄液を高圧噴射して被洗浄車両を洗浄するスプレーガンと、前記スプレーガンに洗浄液を供給するホースと、地面に立設されるとともに前記スプレーガンを保持するガンホルダを有するスタンド部と、を備え、前記ガンホルダが巻回されたホースを掛止する掛止部を有することを特徴とする。
【０００８】
この構成によると、ユーザがスプレーガンを把持し、被洗浄車両に洗浄液を高圧噴射して被洗浄車両を洗浄する。スプレーガンを使用しないときには、スプレーガンはスタンド部に設けられたガンホルダに保持される。また、ホースはガンホルダと一体となった掛止部に巻回されて掛止される。
【０００９】
また、本発明は上記構成の洗車機において、前記ガンホルダは前後に延びて上下に対向配置される上面部及び下面部を有して開放された側方から前記スプレーガンを出し入れされ、前記掛止部が前記下面部を前記上面部よりも側方に延設して形成される。
【００１０】
また、本発明は上記構成の洗車機において、前記下面部の開放端から上方に突出する第１突出部を有することを特徴とする。
【００１１】
また、本発明は上記構成の洗車機において、前記上面部の開放端から下方に突出する第２突出部を有することを特徴とする。
【００１２】
また、本発明は上記構成の洗車機において、前記上面部及び前記下面部は前後方向に傾斜することを特徴とする。
【００１３】
また、本発明は上記構成の洗車機において、前記下面部の前端部及び後端部が下方に屈曲することを特徴とする。
【００１４】
また、本発明は上記構成の洗車機において、前記上面部の前端部及び後端部が上方に屈曲することを特徴とする。
【００１５】
また、本発明は上記構成の洗車機において、対向する２つの前記スタンド部の上端を連結する天井部を有して前記被洗浄車両を跨ぎ、前記被洗浄車両に対して前後に相対移動する本体部を備え、前記スタンド部の外側の面に前記ガンホルダを着脱自在に取り付けたことを特徴とする。
【発明の効果】
【００１６】
本発明によると、ガンホルダが巻回されたホースを掛止する掛止部を有するため、洗車機の部品点数を削減して省スペース化を図ることができる。
【図面の簡単な説明】
【００１７】
【図１】本発明の実施形態の洗車機の全体構成を示す側面図
【図２】本発明の実施形態の洗車機本体の構成を示す正面図
【図３】本発明の実施形態の洗車機本体の構成を示す斜視図
【図４】本発明の実施形態のガンホルダを示す正面図
【図５】本発明の実施形態のガンホルダを示す斜視図
【図６】ガンホルダを示す斜視図
【図７】本発明の実施形態のガンホルダの一部を示す側面断面図
【発明を実施するための形態】
【００１８】
以下に本発明の実施形態を図面を参照して説明する。図１、図２、図３は一実施形態の洗車機ＷＡを示す側面図、正面図、斜視図である。洗車機ＷＡは左右の対向する２つのスタンド部９０の上端を連結する天井部９１を有して門型に形成される洗車機本体（本体部）１を備える。洗車機本体１の進入経路上にはリモートパネル７Ａが配される。被洗浄車両ＣＡはリモートパネル７Ａの面前で停車し、リモートパネル７Ａの操作によって洗車の受け付け等を行う。
【００１９】
洗車機本体１の底面には地面に設けられた左右一対のレール２上に配される車輪３が設けられる。これにより、洗車機本体１はレール２上を走行して被洗浄車両ＣＡに対して前後に相対移動するように立設される。
【００２０】
洗車機本体１には被洗浄車両ＣＡをブラッシングする複数の回転するブラシを設けている。ブラシはトップブラシ４、サイドブラシ５及びロッカーブラシ６から成っている。トップブラシ４は被洗浄車両ＣＡの上面を洗浄し、布（織布、編布、不織布等）や樹脂繊維から成るブラシ毛を放射状に固着して形成される。
【００２１】
サイドブラシ５は左右一対設けられ、被洗浄車両ＣＡの両側面と前後面に摺動して被洗浄車両ＣＡを洗浄する。ロッカーブラシ６は左右一対設けられ、被洗浄車両ＣＡのタイヤを含む側面下部を洗浄する。サイドブラシ５及びロッカーブラシ６もトップブラシ４と同様の回転軸及びブラシ毛を有している。
【００２２】
洗車機本体１の一方の側方には洗剤やワックス等の各種液剤を貯液する複数の貯液タンク（不図示）を収納するタンク収納部５０が配される。タンク収納部５０の上方には市水及び各貯液タンクからの液剤を電磁弁等を介して分配する分配配管部５１が設けられる。分配配管部５１には第１、第２浄水ノズル１１、１３、第１、第２洗剤ノズル１２、１５、撥水コートノズル１４、ワックスノズル１６が導出される。洗車機本体１の後方には洗浄液や高圧空気を供給する供給部（不図示）が設けられ、分配配管部５１に接続される。スプレーガン６２はホース６１を介して分配配管部５１に接続され、これによりスプレーガン６２は洗浄液を高圧噴射することができる。洗浄液は市水だけでなく、洗剤やワックス等の各種液剤と混合されてもよい。
【００２３】
第１、第２浄水ノズル１１、１３は洗車機本体１の手前側及び奥側にそれぞれ配され、被洗浄車両ＣＡに対して市水を噴射する。第１、第２洗剤ノズル１２、１５は洗車機本体１の手前側及び奥側にそれぞれ配され、被洗浄車両ＣＡに対して洗剤を噴射する。撥水コートノズル１４は洗車機本体１の奥側に配され、被洗浄車両ＣＡに対して撥水コート剤を噴射する。ワックスノズル１６は洗車機本体１の奥側に配され、被洗浄車両ＣＡに対してワックスを噴射する。
【００２４】
また、洗車機本体１には被洗浄車両ＣＡを乾燥させるトップ送風ノズル２１とサイド送風ノズル２２とを設けている。洗車機本体１の中央上部にはトップ送風ノズル２１が設けられ、両側方にはサイド送風ノズル２２が設けられる。トップ送風ノズル２１及びサイド送風ノズル２２はブロワ２０からの送風を被洗浄車両ＣＡに対して吹き付けて乾燥させる。
【００２５】
洗車機本体１の前面上部には車両センサ８が設けられている。車両センサ８は光電センサや超音波センサ等から成り、洗車機本体１に進入する被洗浄車両ＣＡの外面形状を検知する。
【００２６】
洗車機本体１の一方の側方の前面には操作パネル７が配される。操作パネル７はリモートパネル７Ａと同様の操作ボタンを備え、被洗浄車両ＣＡから降車したユーザ等の操作により洗車の受け付けや洗車条件の設定を行う。
【００２７】
洗車条件の設定としてはシャンプー、ワックス掛け、撥水コート等を水洗いに追加するボタンが操作パネル７及びリモートパネル７Ａに設けられる。また、高級なシャンプー、高級なワックス、高級な撥水コート、特殊なコート等を行うボタンも設けられている。さらに、フロントガード有り、フェンダーポール有り、ドアミラー有り、リヤワイパー有り、該当装備品無し等の装備品設定ボタンが設けられている。
【００２８】
ホース６１は洗車機本体１の上部から伸びて被洗浄車両ＣＡを洗浄するスプレーガン６２に接続される。右側のスタンド部９０の側面にはガンホルダ６３が設けられる。ガンホルダ６３はネジ（不図示）及びネジ穴７３（図５参照）を用いて後方を下に傾斜して固定される。
【００２９】
図４及び図５はガンホルダ６３の正面図及び斜視図である。ガンホルダ６３は金属板をプレス加工して形成され、前後に延びて上下に対向配置される上面部６８及び下面部６９を有して左右対称のコ字状に形成され、開放された側方の解放部７４からスプレーガン６２を出し入れされる。
【００３０】
ホース６１を掛止する掛止部７５は下面部６９を上面部６８よりも側方に延設して形成され、掛止部７５を含む下面部６９の長さＬ１は９１．５ｍｍ程度である。掛止部７５は開放端７１から上方鉛直にホース６１の直径２〜３倍程度だけ突出する第１突出部７２が設けられる。第１突出部７２の高さＬ４は４０ｍｍ程度である。また、ガンホルダ６３の下面部６９の前端部７０及び後端部７６は１２０度の角度で下方に傾斜して屈曲される（図７参照）。
【００３１】
ガンホルダ６３の上面部６８には開放端６６から鉛直下方に突出する第２突出部６５が設けられる。上面部６８の長さＬ２は４１．５ｍｍ程度であり、第２突出部６５の高さＬ３は１８ｍｍ程度である。また、上面部６８の前端部６７及び後端部７７は１２０度の角度で上方に傾斜して屈曲される
【００３２】
ガンホルダ６３の側面にはネジを挿通してガンホルダ６３を固定するネジ穴７３が設けられる。ガンホルダ６３は後方を下方に傾斜させて固定される。これにより、上面部６８及び下面部６９は前後方向に傾斜する（図３参照）。
【００３３】
また、第１突出部７２、上端部６７、後端部７７、第２突出部６５、前端部７０、後端部７６のコーナー部はそれぞれ曲面に形成されるため、ホース６１及びスプレーガン６２を出し入れする際に、これに当接しても損傷を低減することができる。
【００３４】
上記構成により、洗車機本体１が設定された洗車条件に基づいて被洗浄車両ＣＡに対して前後方向に相対移動する。そして、被洗浄車両ＣＡには各種ノズルから市水や液剤が噴射され、洗車機本体１に設けた回転ブラシが被洗浄車両ＣＡに摺動して被洗浄車両ＣＡが洗車される。
【００３５】
また、洗車機本体１を停止してユーザがスプレーガン６２を把持して被洗浄車両ＣＡを洗浄することができる。この時、洗車機本体１の洗浄動作の停止を確認してから行う。ユーザは掛止部７５に巻回されたホース６１及びガンホルダ６３のスプレーガン６２を取り出し、スプレーガン６２から洗浄液を被洗浄車両ＣＡに向けて高圧噴射する。
【００３６】
スプレーガン６２による被洗浄車両ＣＡの洗浄を停止すると、スプレーガン６２は先端６２Ａをスタンド部９０の後方に向けてガンホルダ６３に保持され、掛止部７５にはホース６１が掛止される。この時、ガンホルダ６３が傾斜するためスプレーガン６２の先端６２Ａが下方に向き、先端６２Ａからの水滴を確実に下方へ滴下することができる。またスプレーガン６２の先端６２Ａが洗車機本体１の後方へ突出するため、スタンド部９０の前方のスペースを有効利用できる。
【００３７】
本実施形態によると、ガンホルダ６３が巻回されたホース６１を掛止する掛止部７５を有するため、洗車機ＷＡの部品点数を削減して洗車機ＷＡの省スペース化を図ることができる。
【００３８】
また、ガンホルダ６３は前後に延びて上下に対向配置される上面部６８及び下面部６９を有し、掛止部７５が下面部６９を上面部６８よりも側方に延設して形成される。このためスプレーガン６２をガンホルダ６３の内側に保持し、ガンホルダ６３の外側の掛止部７５にホース６１を掛止することができる。
【００３９】
また、開放端７１から上方に突出する第１突出部７２を有するため、ホース６１の外側への脱落を防止することができる。この時、スプレーガン６２及びホース６１がガンホルダ６３の側面と第１突出部７２との間に同時に保持されるため、洗車機ＷＡの省スペース化を容易に図ることができる。
【００４０】
また、上面部６８の開放端６６から下方に突出する第２突出部６５を有するため、スプレーガン６２の外側への移動を抑制してスプレーガン６２を確実に保持することができる。
【００４１】
また、上面部６６及び下面部６９は前後方向に傾斜するため、スプレーガン６２を傾斜して保持し、先端６２Ａから水滴を確実に下方へ滴下することができる。
【００４２】
また、下面部６９の前端部７０及び後端部７６が下方に屈曲する為、ホース６１の掛止時にコーナー部７８におけるホース６１への負荷が軽減され、ホース６１の損傷を防止することができる。すなわち、図６に図示するような前端部７０及び後端部７６がない底面部１６９においてホース６１を巻回して掛止する場合には、ホース６１の自重も加わってエッジ１７８と当接するホース６１の損傷が激しくなる。それに対して、図７に図示するように、本発明のごとく前端部７０及び後端部７６を適当な角度、例えば１２０度の角度で下方に屈曲させた掛止部にホース６１を巻回して掛止する場合には、前端部７０及び後端部７６のエッジ１７９とホース６１とは当接しなくなるとともに緩く傾斜したコーナー部にてホース６１を支持するので、ホース６１の損傷を防止することができる。
【００４３】
また、上面部６８の前端部６７及び後端部７７が上方に屈曲するため、スプレーガン６２を保持する際、スプレーガン６２の損傷を防止することができる。
【００４４】
また、２つのスタンド部９０の上端を連結する天井部９１を有して被洗浄車両ＣＡを跨いで被洗浄車両ＣＡに対して前後に相対移動する洗車機本体１を備え、スタンド部９０の外側の面にガンホルダ６３を着脱自在であるため、ガンホルダ６３の設置場所は左右のスタンド部９０のいずれでもよく利便性が向上する。外側の面はスタンド部９０の左右の側面だけでなく、全面や背面でもよい。
【００４５】
本実施形態の洗車機ＷＡはガンホルダ６３を取り付けたスタンド部９０が被洗浄車両ＣＡに対して相対移動する門型の洗車機本体１に設けられるが、これに限られない。例えば、地面に固定したスタンド部９０に設けたスプレーガン６２によってのみ被洗浄車両ＣＡを洗浄する洗車機ＷＡであってもよい。
【産業上の利用可能性】
【００４６】
本発明によると、給油所等に設置して被洗浄車両の洗車を行う洗車機に利用することができる。
【符号の説明】
【００４７】
１      洗車機本体
４      トップブラシ
５      サイドブラシ
６      ロッカーブラシ
７      操作パネル
７Ａ    リモートパネル
６１    ホース
６２    スプレーガン
６３    ガンホルダ
６５    第２突出部
６６    解放端
６７    前端部
６８    上面
６９    下面
７０    前端部
７１    解放端
７２    第１突出部
７３    ネジ穴
７４    解放部
７５    掛止部
７６    後端部
７７    後端部
７８    コーナー部
ＣＡ    被洗浄車両
ＷＡ    洗車機
【図１】
0005609831.tif 000002
【図２】
0005609831.tif 000003
【図３】
0005609831.tif 000004
【図４】
0005609831.tif 000005
【図５】
0005609831.tif 000006
【図６】
0005609831.tif 000007
【図７】
0005609831.tif 000008